(57)【要約】  第１近距離磁気誘導通信ユニット（４４）及び近距離無線データ通信を行うために第１近距離磁気誘導通信ユニット（４４）に接続された第１磁場アンテナ（４２）を収容し、モノラル聴覚デバイス（１０）のユーザの耳の後ろに設置されるように構成された第１ハウジング（６０）と、第２近距離磁気誘導通信ユニット（１１６）及び近距離無線データ通信を行うために第２近距離磁気誘導通信ユニット（１１６）に接続された第２アンテナ（１１８）を収容する第２ハウジング（１１０）とを備え、第１近距離磁気誘導通信ユニット（４４）及び第２近距離磁気誘導通信ユニット（１１６）は、第１近距離磁気誘導通信ユニット（４４）及び第２近距離磁気誘導通信ユニット（１１６）の一方から第１近距離磁気誘導通信ユニット（４４）及び第２近距離磁気誘導通信ユニット（１１６）の他方へのオーディオ信号の近距離無線データ通信を行うように構成されている、モノラル聴覚デバイス（１０）が提供される。【選択図】図３
2021534683.tif 000002
【特許請求の範囲】
【請求項１】
モノラル聴覚デバイス（１０）であって、
第１近距離磁気誘導通信ユニット（４４）と、近距離無線データ通信を行うために第１近距離磁気誘導通信ユニット（４４）に接続されている第１磁場アンテナ（４２）とを収容し、モノラル聴覚デバイス（１０）のユーザの耳の後ろに設置されるように適合された第１ハウジング（６０）と、
第２近距離磁気誘導通信ユニット（１１６）と、近距離無線データ通信を行うために第２近距離磁気誘導通信ユニット（１１６）に接続されている第２磁場アンテナ（１１８）とを収容する第２ハウジング（１１０）と、
を備え、
第１磁場アンテナ（４２）に接続された第１近距離磁気誘導通信ユニット（４４）及び第２磁場アンテナ（１１８）に接続された第２近距離磁気誘導通信ユニット（１１６）は、第１近距離磁気誘導通信ユニット（４４）及び第２近距離磁気誘導通信ユニット（１１６）の一方から第１近距離磁気誘導通信ユニット（４４）及び第２近距離磁気誘導通信ユニット（１１６）の他方へのオーディオ信号の近距離無線データ通信を行うように適合されている、モノラル聴覚デバイス（１０）。
【請求項２】
第２ハウジング（１１０）は、第２ハウジング（１１０）により収容される電子回路に電力を供給するエネルギー蓄積デバイス（１２０）であって、エネルギー蓄積デバイス（１２０）によって蓄積されるエネルギーの無線受信のために第２磁場アンテナ（１１８）に接続されるエネルギー蓄積デバイス（１２０）を収容する、請求項１に記載のモノラル聴覚デバイス（１０）。
【請求項３】
第２ハウジング（１１０）は、オーディオ信号（３８’）をユーザの聴覚系によって受信可能であり、ユーザが音を聞く結果となる聴覚出力信号に変換するように適合された出力トランスデューサ（４０）を収容し、ユーザの外耳に設置されるように適合される、請求項１または２に記載のモノラル聴覚デバイス（１０）。
【請求項４】
第２ハウジング（１１０）は、第１ハウジング（６０）に設置されるように適合される、請求項１または２に記載のモノラル聴覚デバイス（１０）。
【請求項５】
第２ハウジング（１１０）は、ＲＦトランシーバ（１１４）と、別のデバイスとの遠距離無線データ通信を行うためにＲＦトランシーバ（１１４）に接続されたＲＦアンテナ（１１２）とを収容する、請求項４に記載のモノラル聴覚デバイス（１０）。
【請求項６】
モノラル聴覚デバイス（１０）は、オーディオ信号（３４）を処理するように構成された聴力損失プロセッサ（３６）を備えたモノラル補聴器（１０）であり、聴力損失プロセッサ（３６）がモノラル補聴器（１０）のユーザの聴力損失を補償するとともに、オーディオ信号（３４）に基づいて出力トランスデューサ（４０）へ聴力損失補償オーディオ信号（３８）を提供するように構成される、請求項１〜５のうちのいずれか一項に記載のモノラル聴覚デバイス（１０）。
【請求項７】
第１ハウジング（６０）の第１磁場アンテナ（４２）及び第２ハウジング（１１０）の第２磁場アンテナ（１１８）は位置合わせされており、
第１ハウジング（６０）及び第２ハウジング（１１０）がモノラル聴覚デバイス（１０）の通常使用のためにユーザの耳において意図される動作位置に装着されたときに、受信側の磁場アンテナ（４２、１１８）は、第１ハウジング（６０）における第１磁場アンテナ（４２）及び第２ハウジング（１１０）における第２磁場アンテナ（１１８）の任意の他の方向及び位置に対応する出力信号と比較して、送信側の磁場アンテナ（１１８、４２）によって変調された受信される磁場に応じて、最大の大きさの信号を出力する、請求項１〜６のうちのいずれか一項に記載のモノラル聴覚デバイス（１０）。
【請求項８】
第１磁場アンテナ（４２）は、第１コイルを備え、
第２磁場アンテナは、第２コイルを備え、
第１ハウジング（６０）及び第２ハウジング（１１０）がモノラル聴覚デバイス（１０）の通常使用のためにユーザの耳において意図される動作位置に装着されたときに、第１コイルの中心軸は第２コイルの対応する中心軸に平行であるように、第１コイルがモノラル聴覚デバイス（１０）の第１ハウジング（６０）に配置され、第２コイルはモノラル聴覚デバイス（１０）の第２ハウジング（１１０）に配置される、請求項７に記載のモノラル聴覚デバイス（１０）。
【請求項９】
第１ハウジング（６０）及び第２ハウジング（１１０）がモノラル聴覚デバイス（１０）の通常使用のためにユーザの耳において意図される動作位置に装着されたときに、第１コイルの中心軸は第２コイルの対応する中心軸に一致する、請求項８に記載のモノラル聴覚デバイス（１０）。
【請求項１０】
第１コイルは第１磁心の周りに巻かれ、第２コイルは第２磁心の周りに巻かれる、請求項８または９に記載のモノラル聴覚デバイス（１０）。
【請求項１１】
バイノーラル聴覚システムであって、
請求項１〜１０のいずれか一項に記載の第１モノラル聴覚デバイス（１０）と、
別の第１近距離磁気誘導通信ユニット（４４）と、別の第１近距離磁気誘導通信ユニット（４４）に接続されている別の第１磁場アンテナ（４２）とを収容した別の第１ハウジング（６０）を備える第２モノラル聴覚デバイスと、
を備え、
第１モノラル聴覚デバイス及び第２モノラル聴覚デバイスの第１近距離磁気誘導通信ユニット（４４）及び第１磁場アンテナ（４２）は、第１モノラル聴覚デバイスと第２モノラル聴覚デバイスとの間で近距離無線データ通信を行うように適合される、バイノーラル聴覚システム。
【請求項１２】
第１モノラル聴覚デバイス及び第２モノラル聴覚デバイスがバイノーラル聴覚システムの通常使用のために意図される動作位置でバイノーラル聴覚システムのユーザの耳に装着されたときに、第１モノラル聴覚デバイス（１０）の第１磁場アンテナ（４２）によって生成される磁場が第２モノラル聴覚デバイスの第１磁場アンテナと位置合わせされるように、第１モノラル聴覚デバイス（１０）の第１磁場アンテナ（４２）が第１モノラル聴覚デバイス（１０）の前記第１ハウジング（６０）に配置され、第２モノラル聴覚デバイスの第１磁場アンテナ（４２）が第２モノラル聴覚デバイスの第１ハウジング（６０）に配置され、
第１モノラル聴覚デバイス及び第２モノラル聴覚デバイスがバイノーラル聴覚システムの通常使用のためにユーザの耳の意図される動作位置に装着されたときに、第２モノラル聴覚デバイスの第１磁場アンテナは、対応する第１モノラル聴覚デバイス及び第２モノラル聴覚デバイスの第１ハウジングにおける第１磁場アンテナの任意の他の方向及び位置の前記第２モノラル聴覚デバイスの第１磁場アンテナの対応する出力信号と比較して、生成される磁場に応じて、最大の大きさの信号を出力する、請求項１１に記載のバイノーラル聴覚システム。
【請求項１３】
第１モノラル聴覚デバイス及び第２モノラル聴覚デバイスの第１磁場アンテナ（４２）は、各々第１コイルを備え、
第１モノラル聴覚デバイス及び第２モノラル聴覚デバイスがバイノーラル聴覚システムの通常使用のためにユーザの耳において意図される動作位置に装着されたときに、第１モノラル聴覚デバイス（１０）の第１コイルの中心軸は第２モノラル聴覚デバイスの第１コイルの中心軸に平行であるように、第１コイルが第１モノラル聴覚デバイス及び第２モノラル聴覚デバイスの第１ハウジングに配置される、請求項１２に記載のバイノーラル聴覚システム。
【請求項１４】
第１モノラル聴覚デバイス及び第２モノラル聴覚デバイスがバイノーラル聴覚システムの通常使用のためにユーザの耳において意図される動作位置で装着されたときに、第１モノラル聴覚デバイス（１０）の第１コイルの中心軸は、第２モノラル聴覚デバイスの第１コイルの対応する中心軸と一致する、請求項１３に記載のバイノーラル聴覚システム（１０）。
【発明の詳細な説明】
【技術分野】
【０００１】
新たなモノラル聴覚デバイスの別個のハウジングによって収容されるモノラル聴覚デバイスの部品間で近距離無線通信を実行するように構成された新たなモノラル聴覚装置が提供される。
【背景技術】
【０００２】
ＢＴＥ（Ｂｅｈｉｎｄ−Ｔｈｅ−Ｅａｒ）型補聴器は、当該技術分野において周知である。ＢＴＥ型補聴器は、ユーザの耳の耳介の後ろに装着するように成形されたＢＴＥハウジングを有する。ＢＴＥハウジングは、聴力損失を補償するためのコンポーネントを収容している。音声信号送信部材、すなわち音響管または電気ケーブルは、ＢＴＥハウジングから聴力損失補償音声を表す信号をユーザの外耳道に送信する。
【０００３】
出力トランスデューサは、補聴器のユーザの外耳道に配置されたレシーバ、いわゆる耳あな型レシーバ（Ｒｅｃｅｉｖｅｒ−Ｉｎ−ｔｈｅ−Ｅａｒ）であってもよい。以下、耳あな型レシーバを有する補聴器は、ＲＩＥ型補聴器と称される。
【０００４】
ＲＩＥ型補聴器において、音声信号送信部材は、ユーザの鼓膜に向けて音声を放出するために、聴力損失補償オーディオ音声信号を、ＢＴＥ型補聴器ハウジング内の補聴器回路機構から電気導体を介してユーザの外耳道に配置されたレシーバに伝搬させるための導体を備える。
【０００５】
ユーザの外耳道に確実にかつ快適であるようにレシーバを配置するために、耳あな型ハウジング、イヤピース、シェルまたはイヤモールドが、ユーザの外耳道に挿入するために設けられてもよい。
【０００６】
以下、「耳あな型ハウジング」、「イヤピース」、「シェル」及び「イヤモールド」という用語は同じ意味で用いられる。
【０００７】
聴力損失補償を行わないが、他の点ではＢＴＥハウジング及び耳あな型ハウジングを有することでＲＩＥ型補聴器に似ているモノラルヘッドセットもまた当該技術分野において周知である。
【０００８】
補聴器に外部デバイスとのインタフェースをとらせるために補聴器に設置可能な補助デバイスもまた、当該技術分野において周知である。このような外部デバイスの例としては、テレビ、ラジオ、携帯電話、デジタルオーディオプレーヤ、ストリーミングデバイス、プログラミングデバイス、試験装置等が挙げられる。明らかに、このような補助デバイスに使用される物理的接続は非常に小さくなければならない。補聴器によっては、ＢＴＥハウジングの下面の、バッテリ蓋のすぐ上のある３つの小さな金接点を用いるが、補聴器によっては、補助デバイスとの接続のためのプロプラエタリ接点セットを有している。ある公知のコネクタは、５つの接点を用い、補聴器とインタフェースをとるために使用されてもよい。補聴器に所望のインタフェースを提供するために必要な回路機構を有する補助デバイスは、典型的には「ピギーバック」ハウジングを有し、典型的には「ブート」、「オーディオブート」または「オーディオシュー」と呼ばれる。補助デバイスのハウジングは、ＢＴＥハウジングの端部周りにフィットしてもよく、ＢＴＥハウジングのコネクタに例えばスナップフィットカップリングを使用して着脱可能に接続されてもよい。補助デバイス、例えばオーディオシューは、補聴器のダイレクトオーディオインタフェース（ＤＡＩ）に転送されるオーディオ信号を提供する。
【０００９】
補聴器のコンポーネント及び回路機構とインタフェースをとる種々のコネクタにより、補聴器のサイズ及びコストが増す。補聴器ハウジングによっては、コネクタのための空間がないほど小さいため、かかる補聴器にはオーディオブートが提供されない。
【００１０】
したがって、さらなる聴音選択肢による利益を享受し得るユーザは、補助デバイス、例えばオーディオブートをサポートするモノラル聴覚デバイスを選択しなければならない。
【発明の概要】
【課題を解決するための手段】
【００１１】
第１近距離磁気誘導通信ユニット及び近距離無線データ通信を行うために第１近距離磁気誘導通信ユニットに接続された第１アンテナを収容し、モノラル聴覚デバイスのユーザの耳の後ろ、例えば耳の耳介の後ろに設置されるように適合されてもよい第１ハウジングと、
第２近距離磁気誘導通信ユニット及び近距離無線データ通信を行うために第２近距離磁気誘導通信ユニットに接続された第２アンテナを収容している第２ハウジングとを備え、
第１近距離磁気誘導通信ユニット及び第２近距離磁気誘導通信ユニットは、第１近距離磁気誘導通信ユニット及び第２近距離磁気誘導通信ユニットの一方から第１近距離磁気誘導通信ユニット及び第２近距離磁気誘導通信ユニットの他方へのオーディオ信号の近距離無線データ通信を行うように適合されている、新たなモノラル聴覚デバイスが提供される。
【００１２】
モノラル聴覚デバイスは、モノラル補聴器のユーザの耳に頭部装着されるために構成された任意の種類のモノラル補聴器、例えばＢＴＥ（Ｂｅｈｉｎｄ−Ｔｈｅ−Ｅａｒ）型、ＲＩＥ（Ｒｅｃｅｉｖｅｒ−Ｉｎ−ｔｈｅ−Ｅａｒ）型等、オーディオ信号を処理し、モノラル補聴器のユーザの聴力損失を補償し、モノラル補聴器の出力トランスデューサへのオーディオ信号に基づいて聴力損失補償オーディオ信号を提供するように構成された聴力損失プロセッサを有する補聴器であってもよい。
【００１３】
モノラル聴覚デバイスは、聴力損失補償を行わないモノラルヘッドセット、例えばＢＴＥハウジングを有するモノラルヘッドセットであってもよい。
【００１４】
第１ハウジングは、ユーザの耳の後ろ、例えばモノラル聴覚デバイスのユーザの耳の耳介の後ろに装着されるように成形されたＢＴＥハウジングであってもよく、第２ハウジング、例えばオーディオシューのためのハウジングは、第１ハウジングに設置されるように適合されてもよく、例えば、第２ハウジングは、ＢＴＥハウジングに例えば脱着可能に、例えばスナップフィットカップリングを用いて、機械的に取り付けられ、できればその周りにフィットするように構成されてもよい。
【００１５】
第２ハウジングは、第２ハウジングによって収容される電子回路機構に電力を供給し、エネルギー蓄積デバイスによって蓄積されるエネルギーの無線受信のために第２アンテナに接続されたエネルギー蓄積デバイス、例えばコンデンサ等を収容していてもよい。
【００１６】
代替的に、または追加的に、第２ハウジングは、第２ハウジングによって収容される電子回路機構に電力を供給する電池を収容していてもよい。
【００１７】
第２ハウジングは、ＲＦトランシーバと、別のデバイスとの遠距離無線データ通信を行うためにＲＦトランシーバに接続されたＲＦアンテナを収容していてもよい。
【００１８】
第２ハウジングは、例えば、オーディオシューのハウジングであってもよく、ＦＭレシーバ、携帯電話インタフェース、リモートコントロールインタフェース、例えばＢｌｕｅｔｏｏｔｈ（登録商標）標準規格に従って動作するストリーミングインタフェース、テレコイル等を収容していてもよい。
【００１９】
第２ハウジングは、オーディオ信号をユーザの聴覚系によって受信されてユーザが音を聞く結果となる聴覚出力信号に変換するように適合されたレシーバ等の出力トランスデューサと、できれば、１つ以上のマイク、例えば、閉塞効果を抑制するために使用されるマイクロホン及び／または指向性キューを記録する１つ以上のマイクロホン等の他のコンポーネントとを収容するＲＩＥ型補聴器のイヤピースのハウジング等の耳あな型ハウジングであってもよい。
【００２０】
第２ハウジングは、回路機構の設定情報を格納するメモリと、第２ハウジングに収容されるコンポーネント、例えば回路の実際の設定を決定する第１ハウジングに収容されたプロセッサによる検索のために第２ハウジングに収容されるコンポーネントを収容してもよく、したがって、第１近距離磁気誘導通信ユニット及び第２近距離磁気誘導通信ユニットは、第２近距離磁気誘導通信ユニットから第１近距離磁気誘導通信ユニットへの設定情報の近距離無線データ通信を行うように適合されてもよい。
【００２１】
モノラル聴覚デバイスの第１ハウジング及び第２ハウジングによってそれぞれ収容されるコンポーネント及び電子回路機構の間の近距離無線データ通信の提供は、モノラル聴覚デバイスの第１ハウジング及び第２ハウジングのコンポーネント及び電子回路機構とインタフェースをとるためのコネクタは必要なくなるため、モノラル聴覚デバイスのハウジングのサイズ及びコストを最小限に抑えることができる。さらに、コネクタを収容するには小さすぎるハウジングを有するモノラル聴覚デバイスは、コネクタを収容するのに十分な大きさのハウジングを有するモノラル聴覚デバイスと同様に、モノラル聴覚デバイスが補助デバイス、例えば、種々の追加機能を有する回路機構を収容するオーディオシューとのデータ通信を行うことができるように、近距離無線データ通信を備えてもよい。
【００２２】
第１近距離磁気誘導通信ユニット及び第２近距離磁気誘導通信ユニットは、近距離磁気誘導通信ユニットであってよく、第１アンテナ及び第２アンテナは、磁場アンテナであってよく、これらはそれぞれ、第１近距離磁気誘導通信ユニット及び第２近距離磁気誘導通信ユニットのうちのそれぞれ対応するものと動作可能に接続される。
【００２３】
近距離磁気誘導通信（ＮＦＭＩ）は、デバイス間の通信のために非伝搬磁場を利用する。あるデバイスにおける磁場アンテナ、例えばコイルは、別のデバイスの磁場アンテナによって受信され感知される非伝搬磁場を変調する。
【００２４】
ＮＦＭＩ通信システムは、アンテナを使用して電磁波を生成して自由空間へと外向きに放射する、いわゆる「遠距離」通信を行う他の種類の無線通信システムとは異なる。放射される電磁波の電力密度は、アンテナまでの距離とともに減少し、すなわち、距離の二乗の逆数（１／ｒ２）に比例し、つまり−２０ｄＢ／ｄｅｃａｄｅで減少し、これにより長距離通信を容易にするのに対し、ＮＦＭＩ通信システムは、送信エネルギーが局所的磁場内に収まる、いわゆる「近距離」通信を行う。磁場エネルギーは自由空間へと広がらない。近距離通信の電力密度は、アンテナまでの距離の六乗の逆数（１／ｒ６）、つまり−６０ｄＢ／ｄｅｃａｄｅに比例する率で減少する。近距離と遠距離との間のクロスオーバは、およそ波長λを２Πで除したところにあり、そこで、ＮＦＭＩ通信システムからの伝搬エネルギーは任意の遠距離システムと同じ伝搬規則に従う、すなわち、放射されるエネルギーの電力密度は距離の二乗で減少するが、クロスオーバ点では、ＮＦＭＩ通信システムの伝搬されるエネルギーレベルは、同等の遠距離通信システムよりも−４０ｄＢ〜−６０ｄＢ低い。
【００２５】
したがって、ＮＦＭＩ通信システムの範囲は短距離（典型的には２メートル未満）である。典型的なＲＦ通信で使用される標準的な変調方式（振幅変調、位相変調、周波数変調）がＮＦＭＩ通信システムで使用され得る。
【００２６】
現在の近距離通信の商用実装において、最も一般的に使用されている搬送波周波数は１３．５６ＭＨｚであり、２２．１メートルの波長λを有する。好ましくは、添付の請求項のセットによるモノラル聴覚デバイスは、１ＭＨｚ〜３０ＭＨｚの範囲の搬送波周波数、例えば、１０．６６ＭＨｚ、または１３．５６ＭＨｚ、または２２．６６ＭＨｚ等の搬送波周波数を用いた近距離通信を行う。
【００２７】
ＮＦＭＩの磁場は、ＲＦ電磁波とは対照的に人体組織にほとんど吸収されずに送信され、ＮＦＭＩ通信システムは人間の両耳にあるデバイス間の通信に適したものとなる。
【００２８】
第１磁場アンテナ及び第２磁場アンテナはそれぞれ、欧州特許出願公開第３３２４６５０号Ａ１により詳細に開示されているように多層プリント回路基板（ＰＣＢ）に埋め込まれてもよい。
【００２９】
好ましくは、第１磁場アンテナ及び第２磁場アンテナはそれぞれ、低損失及び低コストで強い磁場を提供するためにコイル、好ましくは磁心、好ましくはフェライト磁心を有するコイルを備える。
【００３０】
好ましくは、第１ハウジングの第１磁場アンテナ及び第２ハウジングの第２磁場アンテナは、第１ハウジング及び第２ハウジングが、モノラル聴覚デバイスの通常使用のためにユーザの耳においてその意図される動作位置に装着されているときに、第１磁場アンテナ及び第２磁場アンテナの一方によって生成され、第１磁場アンテナ及び第２磁場アンテナの他方によって受信される磁場の最適な受信のために位置合わせされ、それによって、受信側の磁場アンテナは、第１ハウジングにおける第１磁場アンテナ及び第２ハウジングにおける第２磁場アンテナの任意の他の向き及び位置のための対応する出力信号と比較して、受信される変調磁場に応じて、最大の大きさの信号を出力する。
【００３１】
例えば、第１ハウジング及び第２ハウジングがモノラル聴覚デバイスの通常使用のためにユーザの耳においてその意図される動作位置に装着されたときに、第１磁場アンテナ及び第２磁場アンテナの一方によって生成される磁場の中心軸が、第１磁場アンテナ及び第２磁場アンテナの他方によって生成される磁場の対応する中心軸に平行で、最適な受信のために一致するように、第１磁場アンテナはモノラル聴覚デバイスの第１ハウジングに配置され、第２磁場アンテナはモノラル聴覚デバイスの第２ハウジングに配置されてもよい。
【００３２】
例えば、第１磁場アンテナは第１コイルを備え、第２磁場アンテナは第２コイルを備えてもよく、第１ハウジング及び第２ハウジングがモノラル聴覚デバイスの通常使用のためにユーザの耳においてその意図される動作位置に装着されたときに、第１コイルの中心軸は第２コイルの対応する中心軸に平行で、最適な受信のために好ましくは一致するように、第１コイルはモノラル聴覚デバイスの第１ハウジングに配置され、第２コイルはモノラル聴覚デバイスの第２ハウジングに配置されてもよい。
【００３３】
例えば、強い磁場を提供するために、第１磁場アンテナは第１コイル及び第１磁心を備え、第２磁場アンテナは第２コイル及び第２磁心を備えてもよく、第１ハウジング及び第２ハウジングがモノラル聴覚デバイスの通常使用のためにユーザの耳においてその意図される動作位置に装着されたときに、第１磁心の中心軸は第２磁心の対応する中心軸に平行で、最適な受信のために好ましくは一致するように、第１磁心を有する第１コイルは、モノラル聴覚デバイスの第１ハウジングに配置され、第２磁心を有する第２コイルは、モノラル聴覚デバイスの第２ハウジングに配置されてもよい。
【００３４】
第１磁心及び第２磁心はフェライト磁心であってもよい。
【００３５】
第１磁場アンテナに接続された第１近距離磁気誘導通信ユニットはさらに、例えば両耳間通信、すなわち、ユーザの頭部の両側に装着された２つのモノラル聴覚デバイス間の近距離無線通信のために、別のデバイスを用いた近距離無線通信のために使用されてもよい。
【００３６】
近距離無線通信は、近距離無線通信ネットワークで行われてもよい。
【００３７】
モノラル聴覚デバイスは、有利にはバイノーラル聴覚システムに組み込まれてもよく、２つのモノラル聴覚デバイスは、データ、例えば、オーディオ信号、信号処理パラメータ、制御データのデジタル交換、例えば信号処理プログラムの特定等のためにＮＦＭＩ通信を利用して相互接続され、任意で他のデバイス、例えばリモコン等と相互接続される。
【００３８】
したがって、バイノーラル聴覚システムは、第１モノラル聴覚デバイス及び第２モノラル聴覚デバイスを備え、第１モノラル聴覚デバイス及び第２モノラル聴覚デバイスはそれぞれ、第１磁場アンテナに接続された第１近距離磁気誘導通信ユニットを有し、対応する第１磁場アンテナに接続された第１近距離磁気誘導通信ユニットはそれぞれ、両耳間通信、すなわちバイノーラル聴覚システムの第１モノラル聴覚デバイスと第２モノラル聴覚デバイスとの間の近距離無線データ通信を行うように適合される。
【００３９】
第１モノラル聴覚デバイス及び第２モノラル聴覚デバイスの一方または両方は、第２ハウジングを有する。
【００４０】
好ましくは、両耳間通信のために、第１モノラル聴覚デバイス及び第２モノラル聴覚デバイスの第１磁気誘導アンテナはそれぞれ、第１モノラル聴覚デバイス及び第２モノラル聴覚デバイスがバイノーラル聴覚システムの通常使用のためにその意図される動作位置でバイノーラル聴覚システムのユーザの耳に装着されたときに、第１磁場アンテナの一方によって生成される磁場の中心軸が、第１磁場アンテナの他方によって生成される磁場の対応する中心軸に平行、好ましくは一致し、好ましくは、第２磁場アンテナは、通常使用のためにその意図される動作位置にある第１モノラル聴覚デバイス及び第２モノラル聴覚デバイスの一方の第１ハウジングに第２ハウジングが設置されたときに、第１磁場アンテナの一方によって生成される磁場の中心軸が、第２磁場アンテナによって生成される磁場の対応する中心軸に平行で、これに対して配置されるように、配置される。
【００４１】
例えば、第１磁場アンテナ及び第２磁場アンテナがそれぞれフェライト磁心の周りに巻かれたコイルを備える場合、第１モノラル聴覚デバイス及び第２モノラル聴覚デバイスが通常使用のためにその意図される動作位置でバイノーラル聴覚システムのユーザの耳に装着されたときに、第１磁場アンテナのフェライト磁心は好ましくは共通の中心軸を有し、第２磁場アンテナのフェライト磁心は、第１磁場アンテナの共通の中心軸に平行で、これに対して配置される中心軸を有する。
【００４２】
典型的には、例えばマイクロホンによって提供されるようなアナログオーディオ信号は、アナログデジタルコンバータにおける対応するデジタルオーディオ信号への変換によってデジタル信号処理に適したものとなり、これによってアナログオーディオ信号の振幅は２進数で表される。このようにして、デジタル値のシーケンスの形態の離散時間及び離散振幅デジタルオーディオ信号は、連続時間及び連続振幅アナログオーディオ信号を表す。以下、デジタル値のシーケンスの形態の離散時間及び離散振幅デジタルオーディオ信号は、簡略して「デジタルオーディオ」と称する。
【００４３】
本開示の全体にわたり、「オーディオ信号」という用語は、ユーザの耳に向けて放射するためにオーディオ信号を可聴音に変換する出力トランスデューサに接続された信号経路に沿って生じる任意のアナログ信号またはデジタル信号を識別するために使用される。オーディオ信号は、信号経路に沿って、オーディオ信号処理の技術分野で周知のフィルタリング、増幅、周波数変換、ダイナミックレンジ圧縮、データ削減のためのデータ圧縮等の種々の種類の信号処理を受けてもよい。
【００４４】
本開示の全体にわたり、「オーディオ信号」という用語は、例えば１つ以上のマイクロホン、テレコイル、または近距離磁気誘導通信ユニットの出力から、モノラル補聴器の聴力損失プロセッサ等のモノラル聴覚デバイスの信号のプロセッサの入力までの信号経路に沿って見られる任意のアナログ信号またはデジタル信号を識別するために使用されてもよい。
【００４５】
本開示の全体にわたり、聴覚デバイスにおける「処理済みオーディオ信号」という用語、または特に補聴器における「聴力損失補償オーディオ信号」という用語は、信号プロセッサ、例えば補聴器の聴力損失プロセッサの出力から、出力トランスデューサの入力への信号経路に沿って見られる任意のアナログ信号またはデジタル信号を識別するために使用されてもよい。
【００４６】
出力トランスデューサは、出力トランスデューサに入力され、ユーザの耳に向かって放射され、それによってユーザが音声を聞くオーディオ信号に基づいた可聴出力信号を出力するように構成されたモノラル補聴器のレシーバ、モノラルヘッドセットのスピーカ等であってもよい。
【００４７】
各近距離磁気誘導通信ユニットは、近距離無線トランスミッタ及び近距離無線レシーバの両方を備えた回路であってもよい。トランスミッタ及びレシーバは、共通の回路機構及び／または単一のダイもしくはハウジングを共有してもよい。
【００４８】
あるいは、トランスミッタ及びレシーバは回路機構を共有していなくてもよく、各近距離磁気誘導通信ユニットは、それぞれトランスミッタ及びレシーバを有する別個のダイまたはハウジングを備えてもよい。
【００４９】
新たなモノラル聴覚デバイスの信号処理は、専用のハードウェアにより実行されてもよく、または１つ以上の信号プロセッサで実行されてもよく、または専用のハードウェア及び１つ以上の信号プロセッサの組み合わせで実行されてもよい。
【００５０】
本明細書で使用される「プロセッサ」、「信号プロセッサ」、「コントローラ」、「システム」等の用語は、ハードウェアか、ハードウェア及びソフトウェアの組み合わせか、ソフトウェアか、または実行中のソフトウェアのいずれかである、ＣＰＵ関連エンティティを意味することが意図される。
【００５１】
例えば、「プロセッサ」、「信号プロセッサ」、「コントローラ」、「システム」等は、プロセッサで実行されるプロセス、プロセッサ、オブジェクト、実行可能ファイル、実行スレッド、及び／またはプログラムであってもよいが、これらに限定されない。
【００５２】
例示として、「プロセッサ」、「信号プロセッサ」、「コントローラ」、「システム」等の用語は、プロセッサ上で稼働するアプリケーション及びハードウェアプロセッサの両方を指す。１つ以上の「プロセッサ」、「信号プロセッサ」、「コントローラ」、「システム」等、またはこれらの任意の組み合わせは、処理及び／または実行スレッド内に常駐していてもよく、１つ以上の「プロセッサ」、「信号プロセッサ」、「コントローラ」、「システム」等、またはこれらの任意の組み合わせは、１つのハードウェアプロセッサ上に、できれば他のハードウェア回路機構と組み合わせて局在化されても、かつ／または２つ以上のハードウェアプロセッサ間において、できれば他のハードウェア回路機構と組み合わせて分散されてもよい。
【００５３】
また、プロセッサ（または同様の用語）は、信号処理を実行することが可能な任意のコンポーネントまたはコンポーネントの任意の組み合わせであってもよい。例えば、信号プロセッサは、ＡＳＩＣプロセッサ、ＦＰＧＡプロセッサ、汎用プロセッサ、マイクロプロセッサ、回路コンポーネント、または集積回路であってもよい。
【図面の簡単な説明】
【００５４】
以下、新たなモノラル聴覚デバイス及び新たなバイノーラル聴覚システムは、図面を参照してさらに詳細に説明される。
【図１】図１は、従来のオーディオシューを有する従来のモノラル聴覚デバイスを斜視図で示す。
【図２】図２は、添付の請求項１による新たなモノラル聴覚デバイスを斜視図で示す。
【図３】図３は、図２に示すモノラル聴覚デバイスの電子回路機構のブロック図である。
【図４】図４は、添付の請求項１による別のモノラル聴覚デバイスの電子回路機構のブロック図である。
【発明を実施するための形態】
【００５５】
以下、新たなモノラル聴覚デバイスの種々の実施例が示される。しかし、添付の請求項による新たなモノラル聴覚デバイスは、さまざまな形態で実施することができ、本明細書で記載される実施例に限定されるものとして解釈されるべきではない。
【００５６】
添付の図面は、明確さを期して概略的で簡略化されたものであり、単に新たなモノラル聴覚デバイスの理解に必須である詳細を示しているが、他の詳細は省略されていることに留意すべきである。
【００５７】
全体を通して、同じ参照番号は同じ要素を指し示す。したがって、同じ要素は、各図面の説明に関して詳細には説明しない。
【００５８】
図１は、従来のオーディオシューを有する従来のモノラル補聴器の例を開示する米国６，１５５，７４８号の図１の複写である。
【００５９】
図１は、ＢＴＥ補聴器１０の形態の従来のモノラル聴覚デバイス１０、従来のオーディオシュー１００、及びＢＴＥ補聴器１０とオーディオシュー１００とを接続する従来の態様を斜視図で示す。
【００６０】
図１ａは、ＢＴＥ補聴器１０のユーザの耳の耳介の後ろに装着されるように適合されたＢＴＥハウジング６０の形態の第１ハウジングと、イヤフック６２とを有する従来のＢＴＥ補聴器１０の斜視図であり、図１ｂは、オーディオシュー１００の斜視図であり、図１ｃは、ＢＴＥ補聴器１０に接続されたハウジング１１０を有するオーディオシュー１００の斜視図であり、図１ｄは、オーディオシュー１００とインタフェースをとるために５つの接点を利用したＢＴＥハウジング６０によって収容される従来のコネクタ７０をより詳細に示す、図１ａのＢＴＥ補聴器１０の一部の拡大図である。
【００６１】
添付の請求項１による新たなモノラル聴覚デバイスは、図１に示すＢＴＥハウジング６０に類似した第１ハウジングを有してもよいが、ただし、新たなモノラル聴覚デバイスの第１ハウジングはコネクタ７０を有していない。同様に、新たなモノラル聴覚デバイスは、図１に示すオーディオシュー１００のハウジング１１０に類似した第２ハウジングを有してもよいが、ただし、新たなモノラル聴覚デバイスの第２ハウジングは、第２ハウジングに収容され、第１ハウジングにより収容される対応するコネクタに合致するコネクタを有していない。
【００６２】
図２は、添付の請求項１によるモノラル聴覚デバイス１０を斜視図で示す。モノラル聴覚デバイス１０は、添付の請求項１１によるバイノーラル聴覚システムの一部を成し得、第１ハウジング６０により収容される電子回路機構と第２ハウジング１１０により収容される電子回路機構との間の図１のモノラル聴覚デバイスの有線インタフェースはなく、図２のモノラル聴覚デバイスの近距離無線インタフェースにより置き換えられていること以外は、図１に示すモノラル聴覚デバイスに機械的に類似している。
【００６３】
図２では、ハウジング６０、１１０によって収容される内部コンポーネントが見えるように、第１ハウジング６０及び第２ハウジング１１０の半分は図示する目的で切り取られている。
【００６４】
図２に示す新たなモノラル聴覚デバイス１０は、以下でより詳細に説明され、第１ハウジング６０によって収容される電池８０から電力が供給される図３に示す電子回路機構１１を有する。
【００６５】
図２に示す新たなモノラル聴覚デバイス１０は、モノラル補聴器１０のユーザ（図示せず）の耳介（図示せず）の後ろに装着されるように適合されたＢＴＥハウジング６０の形態の第１ハウジング６０を備えたモノラル補聴器１０である。ＢＴＥハウジング６０は、第１近距離磁気誘導通信ユニット（図示せず）と、近距離無線データ通信を行うために第１近距離磁気誘導通信ユニット（図示せず）に接続された第１磁場アンテナ４２とを備える。
【００６６】
モノラル補聴器１０は、オーディオシュー１００のハウジング１１０の形態の第２ハウジング１１０をさらに備える。オーディオシュー１００のハウジング１１０は、第２近距離磁気誘導通信ユニット（図示せず）と、第１磁場アンテナ４２及び第１近距離磁気誘導通信ユニット（図示せず）との間で近距離無線データ通信を行うために第２近距離磁気誘導通信ユニット（図示せず）に接続された第２磁場アンテナ１１８とを備える。
【００６７】
第１近距離磁気誘導通信ユニット及び第２近距離磁気誘導通信ユニット（図示せず）は、近距離磁気誘導通信ユニットの一方から近距離磁気誘導通信ユニットの他方へのデジタルオーディオのデータ通信を含む近距離無線データ通信を行うように適合されている。デジタルオーディオは、例えばＢｌｕｅｔｏｏｔｈ標準規格に従って、オーディオシューに無線送信されるストリーミングデバイスからのデジタルオーディオであってもよい。
【００６８】
図２に示すモノラル補聴器１０では、第１磁場アンテナ４２及び第２磁場アンテナ１１８は、第１磁場アンテナ４２及び第２磁場アンテナ１１８の一方によって生成され、かつ第１磁場アンテナ４２及び第２磁場アンテナ１１８の他方によって受信される磁場の最適な受信のために位置合わせされる。
【００６９】
図２に示すモノラル補聴器１０では、第１磁場アンテナ４２及び第２磁場アンテナ１１８はそれぞれ、フェライトアンテナの技術分野において周知のように、低損失及び低コストで強い磁場を提供するためにフェライト磁心に巻かれたコイルを備える。したがって、第１磁場アンテナ４２は、第１フェライト磁心の周りに巻かれた第１コイルを備え、第２磁場アンテナ１１８は、第２フェライト磁心の周りに巻かれた第２コイルを備える。第１ハウジング６０及び第２ハウジング１１０が互いに対して動作可能に取り付けられ、通常動作のためにユーザに装着される準備ができているとき、第１磁場アンテナ４２及び第２磁場アンテナ１１８の一方によって生成され、第１磁場アンテナ４２及び第２磁場アンテナ１１８の他方によって受信される磁場の最適な受信のために、第１コイルの中心軸が第２コイルの対応する中心軸に平行であるように、第１コイルは第１ハウジング６０に配置され、第２コイルは第２ハウジング１１０に配置される。
【００７０】
モノラル補聴器１０は、有利には、バイノーラル補聴器システム（図示せず）に組み込まれてもよく、モノラル補聴器１０は、図２に示すモノラル補聴器に類似した別のモノラル補聴器に接続され、ただし、他方のモノラル補聴器は、その第１ハウジング６０に取り付けられたオーディオシュー１１０を有している必要はない。バイノーラル補聴器システムの２つのモノラル補聴器は、データ、例えばオーディオ信号、信号処理パラメータ、制御データのデジタル交換、例えば信号処理プログラムの特定等のために、それらの対応する第１近距離磁気誘導通信ユニット（図示せず）及び第１磁場アンテナ４２を利用して相互接続される。
【００７１】
第１モノラル補聴器及び第２モノラル補聴器がバイノーラル補聴器システムの通常使用のためにユーザの耳においてその意図される動作位置に装着されたときに、第１モノラル補聴器（１０）の第１コイルの中心軸は、第２モノラル補聴器の第１コイルの対応する中心軸に平行で、好ましくは一致するように、第１コイル４２は第１モノラル補聴器及び第２モノラル補聴器の第１ハウジングにそれぞれ配置される。このようにして、第２モノラル補聴器の第１磁場アンテナ１０は、第１補聴器及び第２補聴器がバイノーラル補聴器システムの通常使用のためにユーザの耳においてその意図される動作位置に装着されたときに、対応する第１モノラル補聴器及び第２モノラル補聴器の第１ハウジング６０における第１磁場アンテナ４２の任意の他の向き及び位置のための第２モノラル補聴器の第１磁場アンテナ４２の対応する出力信号と比較して、第１モノラル補聴器１０の第１磁場アンテナ４２によって生成される磁場に応じて、最大の大きさの信号を出力する。
【００７２】
したがって、図２に示すモノラル補聴器１０では、第１磁場アンテナ４２は、ユーザによってユーザの反対側の耳に装着された他方の類似のモノラル補聴器（図示せず）の方向への局所的な非伝搬磁場の最適な送信のためにＢＴＥハウジング６０に配置され、２つのモノラル補聴器はバイノーラル補聴器システム（図示せず）を構成している。
【００７３】
このようにして、他方の耳のためのステレオチャネルのデジタルオーディオ、すなわち同じモノオーディオ信号が、ほとんど減衰せずに他方の耳のモノラル補聴器に送信され得る。
【００７４】
図２に示すモノラル補聴器１０は、モノラル補聴器の技術分野において周知のように、ユーザの外耳道内へのレシーバ４０による可聴信号出力の送信のために音響管に接続されるように構成されたイヤフック６２を有する。
【００７５】
図２に示すモノラル補聴器１０に類似した、添付の請求項１による別のモノラル補聴器（図示せず）がさらに提供されるが、ただし、他方のモノラル補聴器（図示せず）はＲＩＥ型補聴器（図示せず）であり、レシーバ４０は、ＢＴＥハウジング６０から、ユーザの外耳道（図示せず）への挿入及び保持のために構成され、イヤピース（図示せず）のレシーバとＢＴＥハウジング６０により収容される電子回路機構とを接続するための導体を有する電気ケーブルを用いてＢＴＥハウジングに接続されたイヤピース（図示せず）に移動されている。
【００７６】
第１ハウジング６０及び第２ハウジング１１０それぞれによって収容されるコンポーネント及び電子回路機構間での近距離無線データ通信の提供は、モノラル補聴器１０のハウジング６０、１１０のサイズ及びコストが最小限にできるように、モノラル補聴器１０の第１ハウジング６０及び第２ハウジング１１０のコンポーネント及び電子回路機構とインタフェースをとるためのコネクタを必要としなくなる。さらに、コネクタを収容するには小さすぎるハウジングを有するモノラル補聴器は、コネクタを収容するのに十分な大きさのハウジングを有するモノラル補聴器と同様に、モノラル補聴器が補助デバイス、例えば、種々の追加機能を有する回路機構を収容したオーディオシューとのデータ通信を行うことができるように、近距離無線データ通信を備えていてもよい。
【００７７】
第２ハウジング１１０は、第２ハウジング１１０によって収容される電子回路機構（図２には図示せず）に電力を供給するために、コンデンサ（図示せず）の形態のエネルギー蓄積デバイス（図示せず）を収容する。コンデンサ（図示せず）には、ダイオード（図示せず）を通じて第２磁場アンテナ１１８によって受信されるエネルギーが供給される。
【００７８】
代替的に、または追加的に、第２ハウジング１１０は、第２ハウジング１１０によって収容される電子回路機構（図示せず）に電力を供給する電池を収容していてもよい。
【００７９】
図３は、図２に示す新たなモノラル補聴器の電子回路機構１１のブロック図である。
【００８０】
図示されるモノラル補聴器の回路機構１１は、周囲からの可聴音声信号をマイクロホン１２、１４によって出力される、対応するマイクロホンオーディオ信号１６、１８へと変換するための、前部マイクロホン１２と、後部マイクロホン１４とを備える。マイクロホンオーディオ信号１６、１８は、それぞれのマイクロホンオーディオ信号１６、１８を、例えば補聴器の技術分野で周知のように指向性を有するデジタルマイクロホンオーディオ信号３０を形成するために、任意でプレフィルタリングされ（プレフィルタは図示せず）、信号コンバイナ２８で結合される対応するデジタルマイクロホンオーディオ信号２４、２６へと変換するために、それぞれのＡ／Ｄコンバータ２０、２２でデジタル化される。デジタルマイクロホンオーディオ信号３０は、信号ルータ３２に入力される信号の加重和３４を出力するように構成された信号ルータ３２に入力される。信号ルータ出力３４は、信号ルータ出力３４に基づいて聴力損失補償出力信号３８を生成するように構成された聴力損失プロセッサ３６に入力される。聴力損失補償出力信号３８は、モノラル補聴器のユーザの鼓膜（図示せず）に向けて送信するための可聴音声へと変換するためのレシーバ４０に入力される。
【００８１】
図示されるモノラル補聴器の回路機構１１は、携帯電話、スマートフォン、デスクトップコンピュータ、タブレット、ラップトップ、ラジオ、メディアプレーヤ、コンパニオンマイクロホン、例えば教会、講堂、劇場、映画館等の公共の場所での放送システム、例えば鉄道駅、空港、ショッピングモール等での拡声装置等の種々のトランスミッタから、制御信号及びデジタルオーディオを含むデータを受信するようにさらに構成される。
【００８２】
図示される例では、別のデバイスがデジタルオーディオを含むデータを、図１に示すＢＴＥハウジング６０に着脱可能に取り付けられた第２ハウジング１１０を有するオーディオシューを介して、モノラル補聴器へと無線で送信することが可能である。第２ハウジング１１０は、ＲＦアンテナ１１２と、ＲＦアンテナ１１２に接続されたＲＦトランシーバ１１４とを収容する。ＲＦトランシーバ１１４は、ＲＦアンテナ１１２から受信した、例えばステレオオーディオ信号またはモノオーディオ信号を表すデジタルオーディオを含む信号からデジタルデータ４６を読み出す。第２ハウジング１１０はさらに、第２近距離磁気誘導通信ユニット１１６と、フェライト磁心（図示せず）の周りに巻かれたコイルを備える第２磁場アンテナ１１８を収容しており、第２磁場アンテナ１１８は、第２近距離磁気誘導通信ユニット１１６に接続されており、第２近距離磁気誘導通信ユニット１１６は、ＢＴＥハウジング６０によって収容され、これもまたフェライト磁心の周りに巻かれたコイルを備えた対応する第１磁場アンテナ４２による受信のために局所的な非伝搬磁場を放射するように、ＲＦアンテナ１１２から受信した信号を、第２磁場アンテナ１１８を介する送信に適した変調信号に変調するように構成されている。送信側の磁場アンテナ１１８及び受信側の磁場アンテナ４２の中心軸は、オーディオシューのハウジング１１０がその意図される動作位置でＢＴＥハウジング６０に取り付けられたときに、最適または実質的に最適な受信のために平行に位置合わせされる。ＢＴＥハウジング６０はさらに、第１磁場アンテナ４２に接続された第１近距離磁気誘導通信ユニット４４を収容し、第１近距離磁気誘導通信ユニット４４は、第１磁場アンテナ４２から受信した信号から、ステレオオーディオ信号またはモノオーディオ信号を表すデジタルオーディオ４６を含むデジタルデータを読み出し、これを信号ルータ３２へと転送し、ステレオチャネル（またはモノオーディオ信号）のデジタルオーディオ４６を、聴力損失補償のために聴力損失プロセッサ３６に入力されるオーディオ信号３４に含める。
【００８３】
信号ルータ３２はさらに、両方のモノラル補聴器が、通常使用中にユーザのそれぞれの耳においてその意図される動作位置に装着されたとき、ユーザの他方の耳に装着されたモノラル補聴器（図示せず）を対象としたステレオチャネル（またはモノオーディオ信号）を、最適または実質的に最適な受信のために、局所的な非伝搬磁場を他方のモノラル補聴器（図示せず）の方向に放射する。すなわち、力線が他方のモノラル補聴器の第１ハウジングの第２磁場アンテナのフェライト磁心と位置合わせされている第１磁場アンテナ４２を介して、当該ステレオチャネル（またはモノオーディオ信号）のデジタルオーディオ４６を送信に適した変調信号へと変調する第１近距離磁気誘導通信ユニット４４にルーティングするように構成される。これは、両方のモノラル補聴器が通常使用中にユーザのそれぞれの耳においてその意図される動作位置に装着されたとき、縦軸が平行に位置合わせされ、好ましくは一致した状態で磁場アンテナのフェライト磁心を位置決めすることによって得られる。
【００８４】
他方のモノラル補聴器は、図３に示す第１ハウジング６０に収容されるのと同じ回路機構を有してもよく、第１磁場アンテナ４２は、変調磁場を受信し、これを、ステレオチャネル（またはモノオーディオ信号）のデジタルオーディオ４６へと復調するように構成された第１近距離磁気誘導通信ユニット４４へと出力される電圧に変換し、これを信号ルータ３２へと転送し、ステレオチャネル（またはモノオーディオ信号）のデジタルオーディオ４６を、聴力損失補償のために聴力損失プロセッサ３６に入力されるオーディオ信号３４に含める。
【００８５】
このようにして、他方の耳のためのステレオチャネル（またはモノオーディオ信号）のデジタルオーディオ４６は、ほとんど減衰せずに他方の耳のモノラル補聴器に送信され得る。
【００８６】
デジタルオーディオ４６は、複数のソースからのオーディオを含んでよく、したがって、デジタルオーディオ４６は、信号ルータ３２のための、各オーディオソースにつき１つずつの複数の入力信号を形成してもよい。
【００８７】
ＲＦアンテナ１１２によりデジタルオーディオを受信した場合、デジタルオーディオ４６はユーザに送信されてもよいが、他の信号３０はデジタルオーディオの送信中に減衰する。他の信号３０はミュートされてもよい。ユーザは、当該技術分野において周知の種類のモノラル補聴器のユーザインタフェースを通じてコマンドを入力し、他の信号３０がミュートされるか、減衰するか、または変化しないままであるかを制御してもよい。
【００８８】
図示されるオーディオシューの第２ハウジング１１０はさらに、第２ハウジング１１０によって収容される電子回路の電子コンポーネント１１４、１１６に電力を供給するコンデンサ１２０の形態の充電式エネルギー蓄積デバイス１２０を収容する。コンデンサ１２０は、第２磁場アンテナ１１８によって受信され、ダイオード１２２を通じてコンデンサ１２０に供給されるエネルギーにより再充電される。
【００８９】
第１近距離磁気誘導通信ユニット４４は、高周波信号、好ましくは、例えば１０．６６ＭＨｚまたは２２．６６ＭＨｚの周波数を有する搬送波信号を、コンデンサ１２０を再充電する第２磁場アンテナ１１８への送信のために第１磁場アンテナ４２に転送する。
【００９０】
代替的に、または追加的に、第２ハウジング１１０によって収容される回路機構は電池（図示せず）によって電力供給される。
【００９１】
第１ハウジング６０、すなわちＢＴＥハウジング６０によって収容される回路機構は、図２に示す電池８０によって電力供給される。
【００９２】
図４は、添付の請求項１によるＲＩＥ型補聴器の形態の別のモノラル補聴器の電子回路機構のブロック図であり、第２ハウジング１１０はイヤピースのハウジングである。図示されるモノラル補聴器のイヤピースは、欧州特許出願公開第３１０１９１７号Ａ１に開示されるＲＩＥ型補聴器のイヤピースに類似しているが、ただし、新たなモノラル補聴器において、イヤピースとＢＴＥハウジングの電子回路機構とを相互接続する欧州特許出願公開第３１０１９１７号Ａ１に開示される有線インタフェースのコネクタ、導体及びケーブルは、ＢＴＥハウジング６０によって収容される第１近距離磁気誘導通信ユニット４４及び第１磁場アンテナ４２、ならびに図３の電子回路機構の無線インタフェースと似た方法で第１磁場アンテナ４２及び第１近距離磁気誘導通信ユニット４４との間で近距離無線データ通信を行うためのイヤピースハウジング１１０によって収容される第２近距離磁気誘導通信ユニット１１６及び第２磁場アンテナ１１８を含む近距離無線インタフェースによって置き換えられる。
【００９３】
図４の新たなモノラル補聴器１０は、モノラル補聴器１０のユーザ（図示せず）の耳介（図示せず）の後ろに装着されるように適合されたＢＴＥハウジング６０の形態の第１ハウジング６０を備える。ＢＴＥハウジング６０は、レシーバ４０がＢＴＥハウジングからイヤピースのハウジング１１０に移動されていること以外は図３に示すＢＴＥハウジング６０の電子回路機構に類似した電子回路機構を収容する。
【００９４】
ＢＴＥハウジング６０の図３に示す電子回路機構のように、ＢＴＥハウジング６０は、第１近距離磁気誘導通信ユニット４４と、近距離無線データ通信を行うために第１近距離磁気誘導通信ユニット４４に接続された第１磁場アンテナ４２を備えるが、図４の電子回路機構では、聴力損失補償出力信号３８は、第１近距離磁気誘導通信ユニット４４へと入力され、イヤピースに収容されるレシーバ４０に送信するためにイヤピースへと無線で送信される。
【００９５】
図２及び図３に示すものと同様に、オーディオシュー１００はさらに、図４のＢＴＥハウジング６０によって収容される第１近距離磁気誘導通信ユニット４４及び第１磁場アンテナ４２もまた、図２及び図３に関連して上記で説明されたものと同じように、オーディオシュー１００とのデータ通信のために使用されるように、図４のモノラル補聴器１０の一部を成してもよい。
【００９６】
代替的に、または追加的に、オーディオシュー１００の電子回路機構の一部は、任意のコンポーネント、例えば、図４に破線で描かれたＲＦアンテナ１１２、ＲＦトランシーバ１１４、及び線４８によって示される図４のＢＴＥハウジング６０の電子回路機構に含められてもよい。
【００９７】
したがって、モノラル補聴器１０はさらに、イヤピースのハウジング１１０の形態の第２ハウジング１１０を備える。イヤピースのハウジング１１０は、第２近距離磁気誘導通信ユニット１１６と、第１磁場アンテナ４２及び第１近距離磁気誘導通信ユニット４４との間で近距離無線データ通信を行うために第２近距離磁気誘導通信ユニット１１６に接続された第２磁場アンテナ１１８とを備える。
【００９８】
イヤピースのハウジング１１０はさらに、欧州特許出願公開第３１０１９１７号Ａ１に開示されるイヤピースの構成と関連して、マイクロホン１２４、１２６と、データを格納する不揮発性メモリを有するマイクロコントローラ１３４とを収容する。
【００９９】
図４に示すレシーバ４０、マイクロホン１２４、１２６及びマイクロコントローラ１３４は、欧州特許出願公開第３１０１９１７号Ａ１の図４に示すレシーバ２２、マイクロホン２６、６６及びマイクロコントローラ４０にそれぞれ対応し、図４に示すレシーバ４０、マイクロホン１２４、１２６及びマイクロコントローラ１３４は欧州特許出願公開第３１０１９１７号Ａ１に開示されるのと同様に動作する。
【０１００】
信号ルータ１３２は、信号を、第２近距離磁気誘導通信ユニット１１６からレシーバ４０に、マイクロホン１２４、１２６から第２近距離磁気誘導通信ユニット１１６に、所望であればマイクロコントローラ１３４と第２近距離磁気誘導通信ユニット１１６との間で信号をルーティングする。
【０１０１】
第２ハウジング１１０はさらに、第２ハウジング１１０によって収容される電子回路の電子コンポーネント１１４、１１６に電力を供給するコンデンサ１２０の形態の充電式エネルギー蓄積デバイス１２０を収容する。コンデンサ１２０は、第２磁場アンテナ１１８によって受信され、ダイオード１２２を通じてコンデンサ１２０に供給されるエネルギーにより再充電される。
【０１０２】
第１近距離磁気誘導通信ユニット４４は、高周波信号、好ましくは、例えば１０．６６ＭＨｚまたは２２．６６ＭＨｚの周波数を有する搬送波信号を、コンデンサ１２０を再充電する第２磁場アンテナ１１８への送信のために第１磁場アンテナ４２に転送する。
【０１０３】
代替的に、または追加的に、第２ハウジング１１０によって収容される回路機構は電池（図示せず）によって電力供給される。
【０１０４】
第１ハウジング６０、すなわちＢＴＥハウジング６０によって収容される回路機構は、図２に示す電池８０に類似した電池（図示せず）によって電力供給される。
【図１】
2021534683.tif 000003
【図２】
2021534683.tif 000004
【図３】
2021534683.tif 000005
【図４】
2021534683.tif 000006
【国際調査報告】
2021534683.tif 000007
2021534683.tif 000008